(57)【要約】      （修正有）【課題】将棋の戦略性をもったトレーディングカードゲームを提供する。【解決手段】カードに、専用のオプションシールを貼付し、カードの所有者が名前、セリフ、役割、アビリティなどの情報を上書き、又は追加可能とすることで、オリジナリティを追求する。特にアビリティの導入は、ゲームスピードを上昇させ、疲労や飽きを軽減する効果を期待できる。さらにアビリティの導入には、定跡を知る者と知らないものの棋力差を緩和する効果もあるので、将棋初心者のプレイヤーも参入し易い。【選択図】図１
0003161038.tif 000002
【実用新案登録請求の範囲】
【請求項１】
将棋のルールを応用したトレーディングカードゲームであること。
【請求項２】
専用のオプションシールを貼付することで、カードに名前、セリフ、役割、アビリティなどについて、情報の上書き、又は追加を可能とすることを特徴とした請求項１記載のトレーディングカードゲーム。
【請求項３】
カードの裏面がトランプのようにすべて同じではなく、表面の「成った」イメージのものであることを特徴とした請求項１及び請求項２記載のトレーディングカードゲーム。
【請求項４】
操縦する必要性のある兵器の場合、兵器カードとパイロットカードを別々に提供し、その際兵器カードは、カードの一部分を切り抜いたり、透明素材を利用するなどして、パイロットカードと重ねて使用することで、兵器を操縦するキャラクターを自由に入れ替えられるトレーディングカードゲーム。
【考案の詳細な説明】
【技術分野】
【０００１】本考案は、古くから親しまれてきた将棋のルールを応用、適用し、新たなトレーディングカードゲームを提供するものである。
【背景技術】
【０００２】将棋は、縦９×横９の合計８１マスのフィールドに駒を配置し、一対一で相手の王（玉）を狙って戦うゲームである。【０００３】トレーディングカードゲームは、趣向を凝らした表面が特徴であり、製作企業やカードシリーズによって異なるルールを用いて、勝敗を決するゲームである。
【考案の開示】
【考案が解決しようとする課題】
【０００４】古今東西、将棋ほど面白いものはないが、なぜ日本の子供は将棋を指さないのか考えた結果、地味だからという結論に至った。【０００５】多くのトレーディングカードゲームは、その性質上ほとんどのケースで投資額がプレイヤーの強さに大きく影響し、お金が無い人ほど弱いという、子ども同士で遊ぶことも前提としておきながら、ある種残酷さを孕んでいたが、玩具である以上、ゲーム性と経済性は無関係が望ましい。【０００６】トレーディングカードゲームは、その性質上すべてのケースで相手プレイヤーを必要としている。しかしながら、トレーディングカードゲームには、「ハマる人はハマる。ハマらない人はハマらない。ハマるものはハマる。ハマらないものは決してハマらない。」といった、長所とも短所ともとれる性質があり、今それは短所となってデュエルスペースの閉鎖を招いている。これからのトレーディングカードゲームは、ネットやシステムに頼ることも大切だと思うが、一番身近で遊んでくれる存在、家族で遊べるようなものにしてはどうだろうか。本考案は、家族で遊べるトレーディングカードゲームをコンセプトになされたものである。
【課題を解決するための手段】
【０００７】将棋の駒をすべてトレーディングカードとすることで地味さを解消した。【０００８】専用のオプションシールをカードに貼付することで、カードの所有者が名前１、セリフ２、役割３、アビリティ４などの情報を上書き、又は追加することを可能とした。
【考案の効果】
【０００９】トレーディングカードゲームが煩わしい数値計算などを捨て、将棋ルールを用いることにより、老若男女国籍問わず親しめる可能性を秘めたゲームになった。（例えば、トレーディングカードゲームは同世代がメインだが、将棋のルールであれば、家族や親戚のおじさんとも遊べるようになるなど）【００１０】トレーディングカードゲームが将棋のルールを用いることで、投資額よりも将棋の戦略が勝敗を決めることになり、ゲーム性と経済性の関係が希薄になった。これにより、新規参入が容易になり、幅広い年代の方たちに長く親しまれるゲームを目指せるようになった。【００１１】トレーディングカードゲームは、ほとんどのケースで、ルール上趣向を凝らせるのが表面だけであったが、裏面にも趣向を凝らせるようになった。【００１２】専用のオプションシールを貼付することで、オリジナリティや自由度を上昇させた。【００１３】将棋の駒のほとんどが１ターンに１マスずつしか動けないということが対局を長時間化させたり、地味に見せたり、プレイヤーの疲労や飽きを招いたりしたが、アビリティを導入することでゲームスピードを上昇させ、それらを軽減することが期待できるようになった。【００１４】アビリティの導入には、定跡を知る者と知らないものの棋力差を緩和する効果もあるので、将棋初心者でも参入し易くなった。
【実施例１】
【００１５】まずキャラクターが既存のものでない場合（イ）と既存のものである場合（ロ）に分けて説明する。
（イ）．名前１、役割２、セリフ３はカード購入時にはプリントされていない。アビリティ４は「修行中」とプリントされている。購入者自身にお気に入りの名前やセリフを、別売の専用オプションシールで貼付することで楽しんでいただけるようにする。特に、役割２やアビリティ４はプレイヤー自身のゲーム戦略に従ってのカスタマイズが重要であるので、やはりオプションシールを活用してもらう。尚、オプションシールの名前やセリフは定例文も含めると、仕上りが綺麗でよい。
（ロ）．キャラクターが既存のものである場合は、キャラクター自身が、名前はもちろん、連想させる役割やアビリティを持っている場合が多い。その場合、予めこれらはカードにプリントされている方が望ましいが、アビリティについての個人的な意見としては「将棋をしている」という実感が欲しい。この将棋をきっかけとして、将棋人気を上げることも考案理由の一つだからである。過去、将棋も囲碁も漫画をきっかけとして人気を一時的に集めたことがある。漫画やアニメには俗に感じる「お固いもの」を軟らかく見せる効果があるらしい。ならば、漫画やアニメのような一過性なものではなく、あらゆるアニメ・ゲームソフト・映画・小説から、少しずつの参入が、いつでも可能というトレーディングカードであれば、将棋の人気を恒常的なものとする可能性がある。そのためには、アビリティの濫用で将棋から放れ過ぎるわけにはいかない。ゆえにアビリティ４は初期設定で「修行中」が望ましい。【００１６】図２のアビリティ４について補足する。一例として「神速移動」を付加してある。その効果は、「１局に１回のみ直線移動で３マス（固定）移動」である。敵を通過する場合はそれを全て打ち取る。尚、このアビリティで王（又は玉）を打ち取る状態になっても、王手宣言はいらない（普通の将棋でも王手宣言の必要はない）。【００１７】以上のようにカードを作成することで、購入者が名前やセリフを付けたキャラクターカードと、購入者が好きなキャラクターカードが共存するトレーディングカードゲームが提供できる。
【図面の簡単な説明】
【００１８】
【図１】本考案のカード、表面完成例である。
【図２】本考案のカード、裏面完成例である。
【符号の説明】
【００１９】１  名前
２  役割（動き方）
３  セリフ
４  アビリティ（追加前と追加後）
５  裏表示（成ったことを分かり易くするための絵や文字）
【図１】
0003161038.tif 000003
【図２】
0003161038.tif 000004
【手続補正書】
【提出日】平成22年2月25日(2010.2.25)
【手続補正１】
【補正対象書類名】実用新案登録請求の範囲
【補正対象項目名】全文
【補正方法】変更
【補正の内容】
【実用新案登録請求の範囲】
【請求項１】
カードの片面に、歩兵や飛車などの将棋の役割を印字し、将棋のルールを利用するトレーディングカードゲーム。
【請求項２】
プレイヤーが、名前、セリフ、将棋の役割、アビリティなどのカードの情報について、上書きまたは追加をするために、カードの一部に専用シールを貼付することを特徴とする請求項１記載のトレーディングカードゲーム。
【請求項３】
カードの片面に、歩成、と金などの成ったことを示す文字が印字されていることを特徴とする請求項１または２記載のトレーディングカードゲーム。
【請求項４】
宇宙での戦争を将棋にする場合、兵器カードとパイロットカードを別々に提供し、それらは将棋ゲーム時にパイロットカードの上に兵器カードを重ねて一つの駒として使用するものであり、その際上から見てもパイロットカードが見分けられるように、兵器カードの一部を透明または半透明にしていることを特徴とする請求項１、２または３記載のトレーディングカードゲーム。
【手続補正書】
【提出日】平成22年4月22日(2010.4.22)
【手続補正１】
【補正対象書類名】実用新案登録請求の範囲
【補正対象項目名】全文
【補正方法】変更
【補正の内容】
【実用新案登録請求の範囲】
【請求項１】
片面に歩との将棋の役割を印字したカードと、片面に香との将棋の役割を印字したカードと、片面に桂との将棋の役割を印字したカードと、片面に銀との将棋の役割を印字したカードと、片面に金との将棋の役割を印字したカードと、片面に角との将棋の役割を印字したカードと、片面に飛との将棋の役割を印字したカードと、片面に玉との将棋の役割を印字したカードと、片面に王との将棋の役割を印字したカードとからなるトレーディングカード。
【請求項２】
プレイヤーが、カードの名前、セリフ、将棋の役割やアビリティについて、上書きまたは追加をするために、カードの形状に合わせた文字シールをセットとすることを特徴とする請求項１記載のトレーディングカード。
【請求項３】
裏面に歩成との駒の状態を印字したカードと、裏面に香成との駒の状態を印字したカードと、裏面に桂成との駒の状態を印字したカードと、裏面に銀成との駒の状態を印字したカードと、裏面に角成との駒の状態を印字したカードと、裏面に飛成との駒の状態を印字したカードとからなることを特徴とする請求項１または２記載のトレーディングカード。
【請求項４】
宇宙での戦争を将棋にする場合において、パイロットカードと、将棋ゲーム時にパイロットカードの上に重ねて、パイロットカードが見分けられるように、透明または半透明の部分を有する兵器カードとからなることを特徴とする請求項１、２または３記載のトレーディングカード。